(57)【特許請求の範囲】
【請求項１】
鍵の押鍵に伴ってハンマーで弦の打弦を行うピアノにおいて、前記ハンマーに設けられ、離鍵状態においてレペティションレバーに載置されるとともに、前記鍵の押鍵に伴い、ジャックによって突き上げられるハンマーのシャンクローラであって、
前記ジャックが当接するジャック当接部と、
前記レペティションレバーが当接するレペティションレバー当接部と、を備え、前記ジャック当接部が、前記レペティションレバー当接部よりも硬いことを特徴とするハンマーのシャンクローラ。
【請求項２】
前記ジャック当接部は、硬化剤によって硬化していることを特徴とする請求項１に記載のハンマーのシャンクローラ。
【請求項３】
前記レペティションレバー当接部は、軟質層で構成され、前記ジャック当接部は、前記軟質層に積層され、前記軟質層よりも硬い硬質層で構成されていることを特徴とする請求項１または２に記載のハンマーのシャンクローラ。
【発明の詳細な説明】
【技術分野】
【０００１】
本発明は、ピアノのハンマーに設けられたシャンクローラに関する。
【背景技術】
【０００２】
従来のこの種のシャンクローラとして、例えば特許文献１に開示されたものが知られている。このシャンクローラは、ハンマーのハンマーシャンクの前部の下面に設けられており、羊毛のクロスから成る中芯と、人工皮革から成り、中芯の外周を覆う表皮とで構成されている。それにより、シャンクローラは、所定のクッション性と、所定の硬さを備えている。ハンマーは、このシャンクローラを介して、レペティションレバーに載置されている。
【０００３】
また、レペティションレバーには、上下方向に貫通するジャック案内孔が形成されており、離鍵状態では、シャンクローラは、ジャック案内孔を跨ぐように、レペティションレバーに載置されている。また、このジャック案内孔には、ジャックの上端部が挿入され、シャンクローラに対向している。この離鍵状態から鍵が押鍵されると、シャンクローラがジャックによって突き上げられることにより、ハンマーが弦を打弦するとともに、その後、反対方向に回動し、シャンクローラを介してレペティションレバーの上に落下する。
【０００４】
上述したように、従来のシャンクローラは、中芯とその外周を覆う表皮で構成されているため、ジャックによって突き上げられる中央部分の硬さと、レペティションレバーの上に落下する左右の部分の硬さが同じである。したがって、シャンクローラの硬さが小さいと、ジャックでシャンクローラを突き上げる際に、押鍵エネルギーの損失が大きくなり、ハンマーに十分に伝達されずに、十分なピアノの音量や音の伸びが得られない。一方、このよな不具合を回避するために、シャンクローラを硬くすると、シャンクローラがレペティションレバーの上に落下した際の、雑音が生じるという不具合がある。
【０００５】
本発明は、押鍵エネルギーをハンマーに十分に伝達できるとともに、レペティションレバーに落下した際の雑音を十分に抑制することができるハンマーのシャンクローラを提供することを目的とする。
【０００６】
【特許文献１】特開２００６ー１７１６１７号公報
【発明の開示】
【課題を解決するための手段】
【０００７】
この目的を達成するために、請求項１に係る発明は、鍵の押鍵に伴ってハンマーで弦の打弦を行うピアノにおいて、ハンマーに設けられ、離鍵状態においてレペティションレバーに載置されるとともに、鍵の押鍵に伴い、ジャックによって突き上げられるハンマーのシャンクローラであって、ジャックが当接するジャック当接部と、レペティションレバーが当接するレペティションレバー当接部と、を備え、ジャック当接部が、レペティションレバー当接部よりも硬いことを特徴とする。
【０００８】
この構成によれば、離鍵状態では、ハンマーのシャンクローラが、そのレペティションレバー当接部を介してレペティションレバーに載置されている。この離鍵状態から、鍵が押鍵されると、それに伴い、シャンクローラは、そのジャック当接部を介して、ジャックによって突き上げられる。それに伴い、ハンマーは、上方に回動し、弦を打弦する。その後、シャンクローラがレペティションレバーに落下することにより、もとの離鍵状態に復帰する。
【０００９】
本発明によれば、シャンクローラのジャック当接部が、レペティションレバー当接部よりも硬いので、ジャックで突き上げられる際の押鍵エネルギーの損失が小さくなり、したがって、押鍵エネルギーをハンマーに十分に伝達することができる。また、レペティションレバー当接部はジャック当接部よりも柔らかいので、シャンクローラがレペティションレバーに落下した際の雑音を、十分に抑制することができる。
【００１０】
請求項２に係る発明は、請求項１に記載のハンマーのシャンクローラにおいて、ジャック当接部は、硬化剤によって硬化していることを特徴とする。
【００１１】
この構成によれば、ジャック当接部が硬化剤によって硬化している。したがっって、例えば、硬化剤をジャック当接部に注入するだけで、レペティションレバー当接部よりも硬いジャック当接部を容易に得ることができる。
【００１２】
請求項３に係る発明は、請求項１または２に記載のハンマーのシャンクローラにおいて、レペティションレバー当接部は、軟質層で構成され、ジャック当接部は、軟質層に積層され、軟質層よりも硬い硬質層で構成されていることを特徴とする。
【００１３】
この構成によれば、レペティションレバー当接部を構成する軟質層と、ジャック当接部を構成する硬質層を積層することによって、シャンクローラが形成されるので、より硬いジャック当接部と、より柔らかいレペティションレバー当接部との領域分けを的確に行うことができる。
【発明を実施するための最良の形態】
【００１４】
以下、図面を参照しながら、本発明の好ましい実施形態を詳細に説明する。図１および図２は、本発明の第１実施形態によるグランドピアノ１０（以下、単に「ピアノ」という）の鍵盤装置を、それぞれ離鍵状態および押鍵状態において示している。これらの図に示すように、このピアノ１０は、複数の鍵１（１つのみ図示）と、鍵１ごとに設けられ、弦Ｓを打弦するハンマー２と、鍵１の後部の上側に設けられたアクション３などを備えている。
【００１５】
このピアノ１０は、ハンマー２による弦Ｓの打弦により、アコースティックな演奏音を発生させるように構成されている。以下、ピアノ１０を演奏者から見た場合の手前側（同図の右側）を「前」、奥側（同図の左側）を「後」として説明を行うものとする。
【００１６】
鍵１は、その中央に形成されたバランス孔（図示省略）を介して、バランスピン（図示省略）に回動自在に支持されている。弦Ｓは、フレーム（図示省略）に張られており、前後方向に水平に延びている。
【００１７】
アクション３は、ウィッペン４と、ウィッペン４に取り付けられたレペティションレバー５およびジャック６を備えている。ウィッペン４は、その後端部において、ウィッペンレール７に固定されたウィッペンフレンジ８に回動自在に支持されており、中央において、鍵１の後部に設けられたキャプスタンスクリュー９に載置されている。
【００１８】
ハンマー２は、前後方向に延びるハンマーシャンク２ａと、ハンマーシャンク２ａの後端部に取り付けられたハンマーヘッド２ｂと、ハンマーシャンク２ａの前部の下面に取り付けられたシャンクローラ２ｃなどで構成されている。また、ハンマーシャンク２ａの前端部は、左右方向に延びる水平なセンターピン１１を介して、ハンマーシャンクフレンジ１２に支持されている。それにより、ハンマー２は、センターピン１１を中心として回動自在である。  
【００１９】
図３および図４に示すように、シャンクローラ２ｃは、左右方向に延びる円柱状に形成されており、ハンマーシャンク２ａから下方に突出するローラ芯１３と、ローラ芯１３に貼り付けられた中芯１４と、中芯１４を覆う表皮１５とを有している。
【００２０】
ローラ芯１３は、ハンマーシャンク２ａの下面に左右方向に横断するように形成された溝（図示省略）に、上端部が嵌合した状態で、固定されている。
【００２１】
中芯１４は、所定の硬さを有する羊毛のフェルトなどから円柱状に形成され、ローラ芯１３と同じ左右方向の幅と所定の径を有し、ローラ芯１３の下端部を覆っている。この中芯１４は、ローラ芯１３に木工ボンドなどで接着されている。また、図４および図５に示すように、この中芯１４の左右方向の中央部は、その表面からローラ芯１３の先端付近まで、硬化剤が注入された硬化剤注入部１４ａになっている。この硬化剤は、例えば、ラッカーやコロジオンなどで構成されており、表皮１５を取り付ける前に、中芯１４に注入される。それにより、この中芯１４の硬化剤注入部１４ａは、硬化剤が硬化することによって、他の部分よりも硬くなっている。
【００２２】
表皮１５は、ポリウレタンおよびポリウレタンの繊維からなる人工皮革などで構成され、中芯１４よりも薄い所定の厚さを有し、中芯１４の外周に巻かれ、これを覆っている。この表皮１５は、中芯１４に木工ボンドなどで接着されている。
【００２３】
以上の構成により、シャンクローラ２ｃには、硬化剤が注入された中芯１４の中央の硬化剤注入部１４ａと、それを覆う表皮１５の部分によって、全体としてより硬いジャック当接部１６が形成されている。また、ジャック当接部１６の左右両側には、硬化剤が注入されていない中芯１４の部分と、それを覆う表皮１５の部分によって、全体としてジャック当接部１６よりも柔らかいレペティションレバー当接部１７が形成されている。
【００２４】
ハンマーシャンクフレンジ１２は、左右方向に並んだ状態で、ハンマーシャンクレール１８の上面に保持されている。ハンマーシャンクレール１８は、筬（図示省略）の上に設けられた複数のブラケット１９（１つのみ図示）に取り付けられ、左右方向に延びている。
【００２５】
このハンマーシャンクレール１８の下面には、レギュレーティングレール２０が一体に設けられている。このレギュレーティングレール２０には、レギュレーティングボタン２１が下方に突出するように設けられている。また、ハンマーシャンクフレンジ１２の後端部には、下方に突出するドロップスクリュー２２が設けられている。
【００２６】
図１および図６に示すように、レペティションレバー５は、前後方向に延び、その中央でウィッペン４に回動自在に取り付けられており、レペティションスプリング２３によって、図１の反時計方向に付勢されている。それにより、レペティションレバー５は、後ろ下がりに傾斜した状態に保たれている。また、レペティションレバー５の前部には、上下方向に貫通するジャック案内孔５ａが形成されている。レペティションレバー５の上面の前端部には、レバースキン２４が設けられている。
【００２７】
ジャック６は、Ｌ字状に形成されており、上下方向に延びる突き上げ部６ａと、その下端部から前方に延びる当接部６ｂで構成され、それらの角部を介して、ウィッペン４に回動自在に取り付けられている。ジャック６の突き上げ部６ａの上端部は、レペティションレバー５のジャック案内孔５ａに挿入されている。
【００２８】
以上の構成により、図１に示す離鍵状態において、ハンマー２は、シャンクローラ２ｃを介して、レペティションレバー５に載置されている。具体的には、シャンクローラ２ｃは、レペティションレバー５のジャック案内孔５ａをまたいだ状態で、その左右のレペティションレバー当接部１７、１７が、レペティションレバー５のジャック案内孔５ａの左右両側の部分に載っている。また、ジャック６の突き上げ部６ａの上端部は、シャンクローラ２ｃの中央のジャック当接部１６に、若干の間隔を隔てた状態で対向している。
【００２９】
また、レペティションレバー５は、ハンマーシャンクフレンジ１２に設けられたドロップスクリュー２２に、上下方向に所定間隔を隔てた状態で対向している。ジャック６の当接部６ｂは、レギュレーティングボタン２１と所定間隔を隔てて下方から対向している。
【００３０】
この離鍵状態から鍵１が押鍵されると、ウィッペン４が、キャプスタンスクリュー９を介して突き上げられることにより、上方に回動するとともに、レペティションレバー５およびジャック６がウィッペン４と一緒に上方に移動する。この移動の途中で、レペティションレバー５がドロップスクリュー２２に当接することにより、レペティションレバー５の上方への移動が規制される。一方、ジャック６は、上方への移動に伴い、その突き上げ部６ａがシャンクローラ２ｃのジャック当接部１６を介して、ハンマー２を突き上げることによって、ハンマー２を上方に回動させる。
【００３１】
ハンマー２が弦Ｓを打弦する直前まで回動した時点で、ジャック６の当接部６ｂが、レギュレーティングボタン２１に当接することによって、ジャック６は、ウィッペン４に対して、図１の時計方向に回動する。これにより、ジャック６がハンマー２から離脱し、その後、ハンマー２は、慣性で回動し、弦Ｓを打弦する。その後、ハンマー２は下方に回動し、シャンクローラ２ｃのレペティションレバー当接部１７、１７がレペティションレバー５に当接することによって、ハンマー２は、レペティションレバー５に載置されたもとの状態に復帰する。
【００３２】
以上のように、本実施形態によれば、ジャック６で突き上げられるシャンクローラ２ｃのジャック当接部１６が、レペティションレバー当接部１７よりも硬いので、ジャック６でハンマー２を突き上げる際の押鍵エネルギーの損失が小さくなり、したがって、押鍵エネルギーをハンマー２に十分に伝達することができる。また、レペティションレバー当接部１７は、ジャック当接部１６よりも柔らかいので、ハンマー２による打弦後、シャンクローラ２ｃがレペティションレバー５に落下した際の雑音を、十分に抑制することができる。また、本実施形態では、中芯１４を構成するフェルトに硬化剤を注入するだけで、レペティションレバー当接部１７よりも硬いジャック当接部１６を容易に得ることができる。
【００３３】
次に、図７および図８を参照しながら、第２実施形態を説明する。この第２実施形態は、シャンクローラ２ｃの構成が第１実施形態と異なるので、その異なる構成を中心に説明するものとする。図８に示すように、このシャンクローラ２ｄは、その中芯２８が、中央の硬質層２５と、その左右両側に積層された軟質層２６、２６で構成されている。軟質層２６は、第１実施形態の中芯１４と同様、柔らかい羊毛のフェルトで構成されている。これに対して、硬質層２５は、軟質層２６よりも硬い羊毛のフェルトなどで構成されている。以上の構成の硬質層２５および軟質層２６、２６は、互いに接着され、一枚のシート状に形成された後、ローラ芯１３の下端部に巻き付けられ、木工ボンドなどで接着されることにより、中芯２８が形成されている。表皮１５は、第１実施形態と同様に構成され、中芯１４の外周に巻かれている。
【００３４】
以上の構成により、シャンクローラ２ｄには、中芯２８の中央の硬質層２５と、それを覆う表皮１５の部分によって、全体としてより硬いジャック当接部２９が形成されるとともに、その左右両側の軟質層２６、２６と、それを覆う表皮１５の部分によって、全体としてジャック当接部２９よりも柔らかいレペティションレバー当接部３０が形成されている。
【００３５】
したがって、第１実施形態と同様、鍵１の押鍵に伴い、ジャック６が、シャンクローラ２ｄのより硬いジャック当接部２９を介して、ハンマー２を突き上げるので、その際の押鍵エネルギーの損失が小さくなり、押鍵エネルギーをハンマー２に十分に伝達することができる。また、ハンマー２による打弦後、シャンクローラ２ｄがより柔らかいレペティションレバー当接部３０、３０を介して、レペティションレバー５に落下するので、その際の雑音を十分に抑制することができる。また、本実施形態では、あらかじめ形成した硬質層２５と軟質層２６を積層することによって、シャンクローラ２ｄが形成されているので、より硬いジャック当接部２９とより柔らかいレペティションレバー当接部３０との領域分けを、的確に行うことができる。
【００３６】
なお、本発明は、説明した実施形態に限定されることなく、種々の態様で実施できる。実施形態では、ジャック当接部１６、２９において、シャンクローラ２ｃ、２ｄの中芯１４、２８のみを硬くしているが、これに加え、表皮１５を硬くしてもよい。また、第２実施形態では、硬質層２５と軟質層２６、２６を接着し、一枚のシート状に形成した後、ローラ芯１３に巻き付けているが、硬質層２５および軟質層２６との接着を、ローラ芯１３への巻き付け時に同時に行ってもよい。さらに、第２実施形態では、中芯２８の硬質層２５全体を硬い羊毛フェルトで構成しているが、ジャック６が当接する部分に限定して、硬い羊毛フェルトを配置してもよい。その他、本発明の趣旨の範囲内において、細部の構成を変更することが可能である。
【図面の簡単な説明】
【００３７】
【図１】本発明のグランド型ピアノの鍵盤装置を離鍵状態において示す側断面図である。
【図２】図１の鍵盤装置を押鍵状態において示す側断面図である。
【図３】ハンマーの拡大斜視図である。
【図４】第１実施形態のシャンクローラを上下逆向きに示した拡大斜視図である。
【図５】図４のＡ−Ａ線拡大断面図である。
【図６】アクションの部分拡大斜視図である。
【図７】第２実施形態のシャンクローラを上下逆向きに示した拡大斜視図である。
【図８】シャンクローラの中芯を展開して示した展開図である。
【符号の説明】
【００３８】
２  ハンマー
２ｃ、２ｄ  シャンクローラ
５  レペティションレバー
６  ジャック
１０  ピアノ
１３  ローラ芯
１４、２８  中芯
１５  表皮
１６、２９  ジャック当接部
１７、３０  レペティションレバー当接部
２５  軟質層
２６  硬質層
Ｓ  弦
【図１】
0005183266.tif 000002
【図２】
0005183266.tif 000003
【図３】
0005183266.tif 000004
【図４】
0005183266.tif 000005
【図５】
0005183266.tif 000006
【図６】
0005183266.tif 000007
【図７】
0005183266.tif 000008
【図８】
0005183266.tif 000009